(57)【要約】 【課題】  電動駆動手段が動作不能な状態であっても操作ハンドルを容易に位置合わせできて汚物を確実に排出できる水洗便器の提供を目的とする。  【解決手段】回転軸１１ｂの延長線上の水洗便器本体３１には、円形の挿入用開口３３が設けられ、挿入用開口３３には操作ハンドル２０を誘導するガイド３４を備えている。ガイド３４は挿入用開口３３に挿入される円筒スリーブ３５と、この円筒スリーブ３５の一端３５ａに固着される円形の弾性材フランジ３６とからなり、弾性材フランジ３６には円筒スリーブ３５の内直径Ｑの長さ領域に亘ってスリット３７が形成される。このため、停電時に狭い場所でもガイド３４の円筒スリーブ３５によって操作ハンドル２０を回転軸２２の中心まで容易に誘導することができる。また、操作ハンドル２０を使用しない状態ではスリット３７が塞がるので便器の外観性が優れ品質が向上する。【選択図】図５
2008007971.tif 000002
【特許請求の範囲】
【請求項１】
水洗便器本体に内蔵されてボウルから延びる排水管部にトラップ部を連通接続した水洗便器であって、
前記トラップ部は、一端が前記排水管部に固定される固定端で、他端が回転軸を中心として回転する回転アームによって上下に反転自在な自由端に形成され、
前記回転軸を電動で回転させる電動駆動手段を備えるとともに前記回転軸を手動で回転させる操作ハンドルを備え、前記回転軸の延長線上の前記水洗便器本体に前記操作ハンドルの挿入用開口を設け、
前記挿入用開口に前記操作ハンドルを誘導するガイドを備えることを特徴とする水洗便器。
【請求項２】
請求項１に記載の水洗便器であって、前記ガイドは前記挿入用開口に挿入される円筒スリーブと、前記水洗便器本体の外側からこの円筒スリーブに固着され前記円筒スリーブの内直径に亘ってスリットが形成される弾性材フランジとから成ることを特徴とする水洗便器。
【請求項３】
請求項１に記載の水洗便器であって、前記ガイドは前記挿入用開口の開口部を狭めて覆うフランジで前記水洗便器本体の内側面における前記挿入用開口の周縁部に固着され、このフランジに前記水洗便器本体の外側から盲フランジ付スリーブが装着されることを特徴とする水洗便器。
【発明の詳細な説明】
【技術分野】
【０００１】
本発明は、自由端を上下に反転自在なトラップ部を有する水洗便器に関し、停電等でトラップ部を反転させる電動駆動手段が駆動できない場合でも汚物を排出することができる水洗便器に関するものである。
【背景技術】
【０００２】
従来、特許文献１に示されるように、住宅等のトイレに設置される水洗便器としてトラップ部の自由端を上下に反転できる水洗便器がある。トラップ部は、駆動モータ等の電動駆動手段によって上下に反転動作するようになっている。より具体的には、便器に付設された排出ボタンを押すと、電動駆動手段が動作してトラップ部の自由端が回転し、トラップ部の自由端が上方に向いた初期位置（封水トラップ位置）から下方に向いた排出位置に反転して、汚物が排出される。この排出動作が終わると、電動駆動手段は逆転して、トラップ部の自由端が再び反転して初期位置に復帰する。その後、給水管の電磁弁が開き便器に給水が行われて封水トラップが形成されるようになっている。
【特許文献１】特開平１１−２１００５２号公報
【発明の開示】
【発明が解決しようとする課題】
【０００３】
ところが、このような水洗便器では、例えば停電等で電動駆動手段が動作しない場合にはトラップ部を反転動作させることができなくなる。そのため、電動駆動手段が動作しない状態で用便をした場合には、バケツ等で水を汲んで便器に勢いよく水を流し込み強制的に汚物を排出させる必要があった。このとき、流し込む水に十分な勢いがないと汚物を排出しきれずに戻ってくるという不具合があった。
【０００４】
このため、すでに提案している考えであるが、前記トラップ部の他端が回転軸を中心として回転する回転アームによって上下に反転自在な自由端に形成され、前記回転軸を電動で回転させる電動駆動手段を備えるとともに前記回転軸を手動で回転させる操作ハンドルを備える構成の水洗便器がある。
【０００５】
ところが、水洗便器本体が陶器製であるため、水洗便器本体に形成される前記操作ハンドル用の挿入用開口を前記回転軸の延長上（軸芯上）に正確に設けることが至難であるため、通常、挿入用開口は必要寸法より大き目に形成される。このため、前記操作ハンドル用を前記回転軸の位置に容易に合わせることが困難であると言う問題があった。
【０００６】
本発明は、このような事情に鑑みてなされたものであり、電動駆動手段が動作不能な状態であっても、操作ハンドルを容易に位置合わせできて汚物を確実に排出できる水洗便器の提供を目的としている。
【課題を解決するための手段】
【０００７】
請求項１に記載の発明は、水洗便器本体に内蔵されてボウルから延びる排水管部にトラップ部を連通接続した水洗便器であって、前記トラップ部は、一端が前記排水管部に固定される固定端で、他端が回転軸を中心として回転する回転アームによって上下に反転自在な自由端に形成され、前記回転軸を電動で回転させる電動駆動手段を備えるとともに前記回転軸を手動で回転させる操作ハンドルを備え、前記回転軸の延長線上の前記水洗便器本体に前記操作ハンドルの挿入用開口を設け、前記挿入用開口に前記操作ハンドルを誘導するガイドを備えることを特徴としている。
【０００８】
請求項２に記載の発明は、請求項１に記載の水洗便器であって、前記ガイドは前記挿入用開口に挿入される円筒スリーブと、前記水洗便器本体の外側からこの円筒スリーブに固着され前記円筒スリーブの内直径に亘ってスリットが形成される弾性材フランジとから成ることを特徴としている。
【０００９】
請求項３に記載の発明は、請求項１に記載の水洗便器であって、前記ガイドは前記挿入用開口の開口部を狭めて覆うフランジで前記水洗便器本体の内側面における前記挿入用開口の周縁部に固着され、このフランジに前記水洗便器本体の外側から盲フランジ付スリーブが装着されることを特徴としている。
【発明の効果】
【００１０】
請求項１に記載の発明によれば、水洗便器本体に内蔵されてボウルから延びる排水管部にトラップ部を連通接続した水洗便器であって、前記回転軸の延長線上の前記水洗便器本体に前記操作ハンドルの挿入用開口を設け、前記挿入用開口に前記操作ハンドルを誘導するガイドを備えるので、前記操作ハンドルを前記挿入用開口に挿入するだけで前記回転軸の位置まで容易に誘導することができる。
【００１１】
このため、停電等の照明のない状態でも操作ハンドルを手動で容易に操作して、確実に汚物を排出させることができる。
【００１２】
請求項２に記載の発明によれば、前記円筒スリーブはその一端に弾性材フランジが固着され、このフランジに前記誘導用スリーブの内直径に亘ってスリットが形成されるので、前記操作ハンドルを挿入する場合にはスリットが前記操作ハンドルによって容易に押し広げられるが、前記操作ハンドルを引出すとスリットはその弾性力によって閉じた状態に復帰することができる。
【００１３】
このため、水洗便器本体の目障りな前記挿入用開口が遮蔽できるので、水洗便器の外観性が優れ品質が向上する。
【００１４】
請求項３に記載の発明によれば、前記円筒スリーブは前記水洗便器本体の内側の挿入用開口の周縁に固着されるとともに、前記水洗便器本体の外側から盲フランジ付スリーブが装着されるので、盲フランジ付スリーブによって水洗便器本体の目障りな前記挿入用開口が遮蔽されるので、請求項２に記載の発明の効果と同様の効果が得られる。
【発明を実施するための最良の形態】
【００１５】
以下に、本発明の第１の実施形態を図１〜図７に基づいて説明する。
【００１６】
＜水洗便器の構成＞
図１、図２に示すように、本実施形態の水洗便器３０は、水洗便器本体３１に内蔵されるボウル１の底部に内排出口２が形成されており、この内排出口２から便器後方に向かって排水管部３が延びている。この排水管部３の終端には管状のトラップ部６が連通接続されている。
【００１７】
トラップ部６の一端部は、シュート部８内に臨んで設けられ、シュート部８は便器底部の外排出口５を通じて外部排水管部４に接続される。このように、内排出口２、排水管部３、トラップ部６、シュート部８および外排出口５によって水洗便器３０の排水路が形成される。
【００１８】
トラップ部６の他端部は、排水管部３の終端に差し込まれた状態で外周からホースバンド等によって締めつけられて固定端として接続される。
【００１９】
より詳しくは、トラップ部６は伸縮および屈曲自在な蛇腹状のホース７で形成され、外排出口５に連通する内部空間を有するシュート部８に収容されている。ホース７の材質は、樹脂、ゴム等の弾力性に優れる材質が採用される。
【００２０】
このため、トラップ部６であるホース７の一端部は自由端であり、図１に示す上方向および図２に示す下方向に回転自在である。
【００２１】
図３に示すように、ホース７の自由端には支持部材９が固定されており、支持部材９はトラップ部６の外側に対称的に配設された一対のアーム１０ａ、１０ｂの先端に連結されている。アーム１０ａ、１０ｂの基端部にはアーム１０ａ、１０ｂの回転軸１１ａ、１１ｂが同一軸上に設けられており、この回転軸１１ａ、１１ｂを中心にトラップ部６の自由端が回動するようになっている。
【００２２】
回転軸１１ａ、１１ｂは、第一ギア１４、第二ギア１５を介して、電動駆動手段としてのモータ１２によって駆動される。
【００２３】
回転軸１１ａ、１１ｂが回転すると、回転軸１１ａ、１１ｂを中心にアーム１０ａ、１０ｂを介してトラップ部６の自由端が上下方向に回転する。モータ１２は正回転および逆回転するようになっており、正回転するとトラップ部６の自由端が下方向に回転し、逆回転するとトラップ部６の自由端が上方向の回転する。
【００２４】
通常時には、トラップ部６の自由端が上方を向いて配置されるので封水トラップが形成されている。このため、ボウル１内部には自由端の高さまで水が溜められ封水されている。
【００２５】
用便後に便器洗浄スイッチを押すとボウル１に洗浄水が供給され、２〜３秒後にモータ１２が作動する。このときモータ１２は正回転しトラップ部６の自由端が下方向に回転し、トラップ部６の自由端が外排出口５と対面したところでモータ１２が停止するので、汚物は溜水とともに排出される。
【００２６】
汚物が完全に排出されたのち、モータ１２が逆回転しトラップ部６の自由端は上方向に回転して上向きに反転し、初期位置である封水トラップ位置に戻る。    
そして、数秒後、ボウル１内部に水が溜まり封水トラップが形成される。このように排出動作および封水動作はモータ１２によって動作するようになっている。
【００２７】
ところが、停電等が発生すると電動駆動手段としてのモータ１２が動作不能となってしまう。この場合、別置きの操作ハンドル２０を用いて手動で汚物排出作業が行なわれる。
【００２８】
操作ハンドル２０は略円盤状のハンドル本体２１と円柱形の回転軸２２からなり、回転軸２２の先端部２２ａには凹部２２ｂが形成され、この凹部２２ｂをトラップ部６側の回転軸１１ｂの先端部１１ｃに被せて連結することにより操作ハンドル２０からの手動回転トルクをトラップ部６に伝達することができるようになっている。  
なお、モータ１２側の図示しないクラッチ又はブレーキは解除されてモータ１２側の回転抵抗は縁切りされるので、回転軸１１ｂを操作ハンドル２０による手動で回転することができる。また、モータ１２への図示しない電源コネクターを外した状態で作業することで突然の停電解除時のモーター誤作動を防止することができる。
【００２９】
図４、図５に示すように、回転軸１１ｂの軸芯Ｐ上の水洗便器本体３１には、円形の挿入用開口３３が設けられ、挿入用開口３３には操作ハンドル２０を誘導するガイド３４を備える。いま、挿入用開口３３は使用者が座った状態で右手側に設けられる。
【００３０】
ガイド３４は挿入用開口３３に挿入される円筒スリーブ３５と、この円筒スリーブ３５の一端３５ａに固着される円形の弾性材フランジ３６とからなり、弾性材フランジ３６には円筒スリーブ３５の内直径Ｑの長さ領域に亘ってスリット３７が形成される。弾性材フランジ３６は、樹脂、ゴム等の弾性材で形成され、スリット３７は自然状態では隙間のない塞がった状態である。
【００３１】
ここで、円筒スリーブ３５はその軸芯Ｐ１が回転軸１１ｂの軸芯Ｐと一致する位置に接着剤等を用いて水洗便器本体３１に固定される。
【００３２】
また、円筒スリーブ３５の内直径Ｑは操作ハンドル２０の回転軸２２の直径Ｑと略等しく形成される。
【００３３】
＜停電時等の水洗便器の汚物排出の動作＞
図６（ａ）のトラップ部６の自由端が上方に向いた封水状態から、図６（ｂ）に示すように操作ハンドル２０を矢印Ｃ方向に略１８０度回転させると、図７（ａ）に示すようにトラップ部６の自由端が下方に向いた排水位置となり、ボウル１およびトラップ部６から汚物が排出される。
【００３４】
ボウル１およびトラップ部６から汚物が排出されたのちに、図７（ｂ）に示すように、操作ハンドル２０を矢印Ｄ方向に略１８０度逆転回転させて操作ハンドル２０を初期位置まで戻す。
【００３５】
初期位置に戻るとトラップ部６が上方に向いた封水トラップ位置となるので、バケツ等に汲んだ水をボウル１に流し込んで図６（ａ）に示すように封水トラップを形成して排出作業が終了する。
【００３６】
以上の作業を用便毎に繰り返す。そして、停電から復旧した際には、操作ハンドル２０をガイド３４から取り外して別途収納するとともに、図示しないモータ１２のクラッチ、ブレーキを復帰して通常の状態に戻る。
【００３７】
このように、電動駆動手段としてのモータ１２が動作不能であっても、手動で操作可能な操作ハンドル２０を回転させてトラップ部６の自由端を上下に回転させて汚物を排出できるようになっている。
【００３８】
＜水洗便器の作用＞
水洗便器本体３１における操作ハンドル２０用の挿入用開口３３の中心位置が回転軸１１ｂの軸芯Ｐの延長上に設けられていない場合でも、円筒スリーブ３５の軸芯Ｐ１を回転軸１１ｂの軸芯Ｐと一致するような位置に調整した後に接着剤等を用いて水洗便器本体３１に固定される。また、円筒スリーブ３５の内直径Ｑは操作ハンドル２０の回転軸２２の直径Ｑと略等しく形成される。
【００３９】
このため、停電時等でも、円筒スリーブ３５によって操作ハンドル２０の回転軸２２を回転軸１１ｂまで容易に自動的に誘導することができる。
【００４０】
さらに、円筒スリーブ３５の一端３５ａに固着される円形の弾性材フランジ３６には円筒スリーブ３５の内直径Ｑの長さ領域に亘ってスリット３７が形成され、操作ハンドル２０を使用しない状態ではスリット３７は塞がった状態となり水洗便器本体に目障りな隙間が生じないので水洗便器の外観性が優れ品質が向上する。
【００４１】
＜第２の実施形態＞
本発明の第２の実施形態の水洗便器について図８を用いて説明する。なお、第２の実施形態の水洗便器は、ガイド４０を除いて第１の実施形態と同様の構成であるため、図８に示すガイド４０以外の構成はその説明および図面を省略する。
【００４２】
図８に示すように、ガイド４０は水洗便器本体３１の内側面３１ａにおける挿入用開口３３の周縁部３１ｂに固着されるフランジ４１である。フランジ４１の中央部には開口４１ａを備え、開口４１ａの直径Ｑは挿入用開口３３の開口部３３ａの直径Ｑ１よりも小さく、上記操作ハンドル２０の回転軸２２の直径Ｑと略等しく形成される。そして、フランジ４１の軸芯Ｐ２を回転軸１１ｂの軸芯Ｐと一致するような位置に配置される。
【００４３】
このため、ガイド３４の円筒スリーブ３５によって操作ハンドル２０の回転軸２２を回転軸１１ｂまで容易に誘導することができる。
【００４４】
また、フランジ４１に水洗便器本体３１の外側から盲フランジ付スリーブ４２が装着され、盲フランジ付スリーブ４２はスリーブ部４３と盲フランジ部４４で構成される。スリーブ部４３の外周にはパッキン４５が巻かれる。
【００４５】
このため、パッキン４５によって、盲フランジ付スリーブ４２をフランジ４１に取外し自在に確実に固定できるので、操作ハンドル２０を使用しない状態では目障りな開口４１ａを塞ぐことができて水洗便器の外観性が優れ品質が向上する。
【００４６】
以上、本発明の実施形態を図面に基づいて説明したが、上記の実施例はいずれも本発明の一例を示したものであり、本発明はこれらに限定されるべきでないということは言うまでもない。
【００４７】
たとえば、フランジ４１の厚さはできるだけ厚くすることが好ましく、スリーブ形状に近づくほど操作ハンドル２０の回転軸２２を容易に誘導することができるので効果が増大する。
【図面の簡単な説明】
【００４８】
【図１】本発明の第１の実施形態における、水洗便器の排出動作開始前の側面図である。
【図２】本発明の第１の実施形態における、水洗便器の排出時の側面図である。
【図３】本発明の第１の実施形態における、水洗便器の封水時のトラップ部６を水洗便器の後方から見た図である。
【図４】本発明の第１の実施形態における、操作ハンドル２０をガイド３４に沿って挿入する状態を示す斜視図である。
【図５】本発明の第１の実施形態における、（ａ）は図４のＡ−Ａ断面図、（ｂ）は図５（ａ）Ｂ−Ｂ矢視図である。
【図６】本発明の第１の実施形態における、トラップ部と操作ハンドルとの関係を示す図で、（ａ）はトラップ部６の自由端が上方に向いた封水状態を示す図、（ｂ）は操作ハンドル２０を矢印Ｃ方向に略１８０度回転させる状態を示す図である。
【図７】本発明の第１の実施形態における、トラップ部と操作ハンドルとの関係を示す図で、（ａ）はトラップ部６の自由端が下方に向いた排水状態を示す図、（ｂ）は操作ハンドル２０を矢印Ｄ方向に略１８０度回転させる状態を示す図である。
【図８】本発明の第２の実施形態における、挿入用開口３３に取付けられるガイド４０の断面図である。
【符号の説明】
【００４９】
１１ｂ  回転軸
２０  操作ハンドル
２２  回転軸
３１  水栓便器本体
３３  挿入用開口
３４  ガイド
３５  円筒スリーブ
３５ａ  一端
３６  弾性材フランジ
３７  スリット
Ｑ  内直径
【図１】
2008007971.tif 000003
【図２】
2008007971.tif 000004
【図３】
2008007971.tif 000005
【図４】
2008007971.tif 000006
【図５】
2008007971.tif 000007
【図６】
2008007971.tif 000008
【図７】
2008007971.tif 000009
【図８】
2008007971.tif 000010